(57)【要約】【課題】ピアス孔を有していないユーザーに対しても動物が直接耳朶にぶら下がっているかのように見せられる動物型イヤリングを提供することを目的とする。【解決手段】四足動物である猫の胴体を分割面で前後に分割した前部胴体要素２および後部胴体要素３と、当該前部胴体要素２の前脚２１と前記後部胴体要素３の尻尾３２を連結させた連結部４と、前記前部胴体要素２と後部胴体要素３の分割面に設けられ、耳朶を前後から挟み込ませる押圧部材５とを備えるように構成し、前部胴体要素２を耳朶の前方に、後部胴体要素３を耳朶の下方に位置させて、あたかも猫が耳朶にぶら下がっているかのように見せるようにする。【選択図】図２
2016019600.tif 000002
【特許請求の範囲】
【請求項１】
四足動物を分割面で前後に分割した前部胴体要素および後部胴体要素と、
当該前部胴体要素の下端部分と前記後部胴体要素の後方部分を連結させた連結部と、
前記前部胴体要素と後部胴体要素の分割面側に設けられ、耳朶を前後から挟み込ませる押圧部材と、
を備えるようにしたことを特徴とする動物型イヤリング。
【請求項２】
前部胴体要素の下端部分が前脚もしくは鼻であり、後部胴体要素の後方部分が尻尾もしくは後脚である請求項１に記載の動物型イヤリング。
【請求項３】
前記後部胴体要素が耳朶の下方に位置するように設けられ、
前記押圧部材を耳朶の後方に位置させるようにした請求項１に記載の動物型イヤリング。
【発明の詳細な説明】
【技術分野】
【０００１】
本発明は、動物型をしたイヤリングに関するものであり、より詳しくは、耳朶（みみたぶ）に動物の前部胴体要素と後部胴体要素を取り付けて、耳朶に動物がぶら下がっているかのように見せられるようにした動物型イヤリングに関するものである。
【背景技術】
【０００２】
従来、動物型ピアスとして、下記の特許文献１に示されるようなものが存在する。この動物型ピアスは、約１．７５インチ（約６センチ）のリングの下端部分に、平面状をなす動物の前部胴体要素と後部胴体要素とを分離した装飾要素を設け、ピアス孔にリングを通すことによってリングを介して動物がぶら下がっているかのように見せられるようにしたものである。
【０００３】
また、ピアス孔に直接動物がぶら下がっているかのように見せられるようにした動物型ピアスとして、図６に示すようなものが既に流通している。
【０００４】
この動物型ピアスは、立体形状をなす動物の前部胴体要素６１と後部胴体要素６２を分離し、前部胴体要素６１に設けられたピン６３をピアス孔に通して反対側から後部胴体要素６２を取り付けることによって、耳朶に直接動物がぶら下がっているかのように見せられるようにしたものである。
【先行技術文献】
【特許文献】
【０００５】
【特許文献１】特開平５−２１１９１３号公報
【発明の概要】
【発明が解決しようとする課題】
【０００６】
しかしながら、このような動物型ピアスでは、次のような問題があった。
【０００７】
すなわち、図６に示すような動物型ピアスでは、耳にピアス孔を有しているユーザーしか使用することができず、ピアス孔を有していないユーザーから同様のものを提供して欲しいといった要望が多かった。
【０００８】
これに対して、耳の上部から後方にかけてフック状の金属部材を引っ掛けられるようにするとともに、そのフック状の金属部材の下端部分に動物の胴体を前後に分離した前部胴体要素と後部胴体要素を設け、これを耳朶に挟み込ませるようにする方法なども考案されたが、このような構成では、ユーザーによって耳の外周寸法が大きく異なるため、ユーザーに応じてフック状の金属部材を変形させなければならない。また、メガネやサングラスなどを使用している場合は、そのメガネのフレームとフック状の金属部材とが干渉してしまい、使用することができないといった問題があった。
【０００９】
そこで、本発明は上記課題に着目してなされたもので、ピアス孔を有していないユーザーに対しても動物が直接耳朶にぶら下がっているかのように見せられる動物型イヤリングを提供することを目的とする。
【課題を解決するための手段】
【００１０】
すなわち、本発明は上記課題を解決するために、四足動物を分割面で前後に分割した前部胴体要素および後部胴体要素と、当該前部胴体要素の下端部分と前記後部胴体要素の後方部分を連結させた連結部と、前記前部胴体要素と後部胴体要素の分割面に設けられ、耳朶を前後から挟み込ませる押圧部材とを備えるようにしたものである。
【００１１】
このように構成すれば、押圧部材で耳朶を挟み込むことによってピアス孔を有していないユーザーに対しても使用させることができ、耳朶に動物がぶら下がっているかのように見せることができる。
【００１２】
また、このような発明において、前部胴体要素の下端部分を前脚とし、後部胴体要素の後方部分を尻尾もしくは後脚としてそれぞれを連結させる。
【００１３】
このように構成すれば、動物が背を丸めた状態で耳朶にぶら下がっているかのように見せることができる。
【００１４】
さらに、後部胴体要素を耳朶の下方に位置させるようにするとともに、前記押圧部材を耳朶の後方に位置させるようにする。
【００１５】
このようにすれば、前部胴体要素と押圧部材で耳朶を挟み込むことができるとともに、下方に位置する後部胴体要素と前部胴体要素によって、動物が耳朶にぶら下がっているかのように見せることができる。
【発明の効果】
【００１６】
本発明によれば、四足動物を分割面で前後に分割した前部胴体要素および後部胴体要素と、当該前部胴体要素の下端部分と前記後部胴体要素の後方部分を連結させた連結部と、前記前部胴体要素と後部胴体要素の分割面に設けられ、耳朶を前後から挟み込ませる押圧部材とを備えるようにしたので、押圧部材で耳朶を挟み込むことによってピアス孔を有していないユーザーに対しても使用させることができ、耳朶に動物がぶら下がっているかのように見せることができる。
【図面の簡単な説明】
【００１７】
【図１】本発明の一実施の形態における動物型イヤリングの外観斜視図
【図２】同形態における動物型イヤリングの側面図
【図３】同形態における押圧部材の使用状態図
【図４】同形態における傾動部材とバネ部材などを示す図
【図５】同形態における動物型イヤリングを取り付けた状態図
【図６】従来例における動物型ピアスを示す図
【発明を実施するための形態】
【００１８】
以下、本発明の一実施の形態について図面を参照しながら説明する。
【００１９】
この実施の形態における動物型イヤリング１は、ピアス孔を開けていないユーザーでも使用できるようにしたものであって、図５に示すように、四足動物が耳朶にぶら下がっているかのように見せられるようにしたものである。
【００２０】
より具体的には、この動物型イヤリング１は、図１などに示すように、四足動物の胴体部分で分割した前部胴体要素２と後部胴体要素３と、この前部胴体要素２および後部胴体要素３の分割面側に設けられ、耳朶を前部胴体要素２とで押圧する押圧部材５とを備え、前部胴体要素２の前脚２１と後部胴体要素３の尻尾３２を直接連結させることで、あたかも動物が耳朶にぶら下がっているかのように見せられるようにしたものである。以下、本実施の形態における動物型イヤリング１の構成について詳細に説明する。
【００２１】
まず、ここで動物型イヤリング１として使用される四足動物としては、例えば、猫、犬などのような動物が用いられる。また、これ以外にペレット、ネズミ、熊、猿、像などの哺乳類動物のほか、蛙、ワニ、トカゲなどの爬虫類や両生類動物などを用いることもできる。ただし、このような四足動物を用いる場合、前部胴体要素２の前方部分と後部胴体要素３の後方部分を連結させた際に、自然な状態でぶら下がっているかのように見せられる動物を使用するのが好ましく、ここでは猫を用いるようにしている。
【００２２】
このような四足動物の前部胴体要素２は、四足動物の全体を胴体の略中央部分の分割面で分割して顔や前脚２１や胴体の一部などを有するように立体的に構成される。この前部胴体要素２の前脚２１は、下方に垂れ下がるようにしておき、これによって後述する後部胴体要素３の尻尾３２などと連結させられるようにしている。一方、この前部胴体要素２の分割面側は、図２に示すように、耳朶の表側を押圧できるように湾曲させておき、これによって、耳朶の押圧時における装着感を良くするようにしている。
【００２３】
一方、後部胴体要素３は、前記分割面よりも後方側で形成され、胴体の一部や後脚３１や尻尾３２などを有するような立体形状に構成される。ここで、後部胴体要素３は、なるべく動物が背を丸めたような形状にしておき、尻尾３２を前方に位置させて先端側を前部胴体要素２の前脚２１と連結部４を介して連結させるようにしている。ここで、この連結部４としては、直接その尻尾３２と前脚２１を溶着させて構成しているが、例えば、透明な接着剤を用いて連結させるようにしてもよい。そして、このように前部胴体要素２の前脚２１と後部胴体要素３の尻尾３２を連結させることにより、前方から見た場合に、図５に示すように、耳朶の前方に前部胴体要素２を、下方に後部胴体要素３を位置させて、あたかも耳朶に背を丸めた動物がぶら下がっているかのように見せられるようにしている。
【００２４】
押圧部材５は、前部胴体要素２との間で耳朶を挟み込めるようにしたものであって、図３や図４に示すような、傾倒部材５３を水平状態と起立状態で傾倒させる傾倒機構と、この傾倒部材５３を起立させた状態で耳朶を押圧させるネジ部材５６とを備えて構成される。
【００２５】
このうち、傾倒部材５３を傾倒させる傾倒機構は、後部胴体要素３の分割面側に設けられた凹部３３に取り付けられる起立板５１と、この起立板５１の先端部分を挟み込むように設けられた縦長状の板バネ５５とを設けて構成されている。この起立板５１は、後部胴体部の分割面に設けられた凹部３３の内側から起立するように設けられ、図４に示すように、その左右両側に凸部５２を設けて、傾倒部材５３の左右両側に設けられた孔部５４に嵌め込めるようにしている。一方、板バネ５５は、この傾倒部材５３の内側に所定の隙間を有するように取り付けられており、その隙間に起立板５１の先端部分を位置させるようにしている。そして、傾倒部材５３を水平方向に傾倒させるときには、傾倒部材５３の左右両側の孔部５４を中心に傾倒部材５３を傾倒させる（図３（ａ））。すると、起立板５１の先端部分が板バネ５５の内側を押圧し、板バネ５５と起立板５１が直角状態になる思案点を超えた位置で水平方向に傾倒部材５３を位置させるための力を付与することができる。また、この状態から傾倒部材５３を起立させると、今度は、その思案点を超えるように起立板５１の先端部分が相対的に回動し（図３（ｂ））、今度は板バネ５５で起立板５１の先端部分を押圧して、起立させた状態に保持できるようになる（図３（ｃ））。
【００２６】
一方、ネジ部材５６は、この傾倒部材５３の上端側に設けられ、軸方向にネジ回転させることによって押圧部５７を耳朶の裏側に押圧させられるようになっている。
【００２７】
このように構成された動物型イヤリング１の使用方法について説明する。
【００２８】
まず、この動物型イヤリング１を使用する場合、傾倒部材５３を水平方向に傾倒させ、押圧部５７と前部胴体要素２の隙間を大きく空けるようにする。そして、そのように隙間を空けた状態で、前部胴体要素２と後部胴体要素３を持って、その隙間を耳朶に位置させるようにする。このとき、前部胴体要素２と後部胴体要素３が一体的に連結されているため、手で掴むための部分を大きく確保することができるようになる。
【００２９】
そして、このように耳朶に隙間を位置させた状態で、押圧部材５を起立方向に傾倒させる。すると、前述のように、起立板５１が板バネ５５の思案点を超えて反対側に移動し、これによって傾倒部材５３を起立させた状態に保持することができる。そして、このように傾倒部材５３を起立状態に保持させた状態でネジ部材５６を回転させ、その先端側の押圧部５７と前部胴体要素２の湾曲部分で耳朶を押圧させる。
【００３０】
そして、このように装着した場合、前方から見ると、耳朶の前方側に前部胴体要素２が位置し、その下方に後部胴体要素３が位置して、全体的に、背を丸めた動物が耳朶にぶら下がっているかのように見せることができる。
【００３１】
このように上記実施の形態によれば、四足動物を分割面で前後に分割した前部胴体要素２および後部胴体要素３と、当該前部胴体要素２の前脚２１と前記後部胴体要素３の尻尾３２を連結させた連結部４と、前記前部胴体要素２と後部胴体要素３の分割面に設けられ、耳朶を前後から挟み込ませる押圧部材５とを備えるようにしたので、ピアス孔を有していないユーザーに対しても使用させることができ、耳朶に動物がぶら下がっているかのように見せることができる。
【００３２】
また、前記後部胴体要素３を耳朶の下方に位置させるようにするとともに、前記押圧部材５を耳朶の後方に位置させるようにしたので、前部胴体要素２と押圧部材５で耳朶を挟み込むことができるとともに、下方に位置する後部胴体要素３と前部胴体要素２によって、動物が耳朶にぶら下がっているかのように見せることができる。
【００３３】
なお、本発明は上記実施の形態に限定されることなく種々の態様で実施することができる。
【００３４】
例えば、上記実施の形態では、前部胴体要素２の前脚２１と、後部胴体要素３の尻尾３２とを連結させるようにしたが、前部胴体要素２の前脚２１と後部胴体要素３の後脚３１を連結させるようにしてもよい。また、像などのような鼻の長い動物をデザインとして使用する場合は、鼻と後脚３１や尻尾３２などを連結させるようにしてもよく、あるいは、馬などのように顔の長い動物を使用する場合は、顔の下端部分と後脚３１や尻尾３２などを連結させるようにしてもよい。
【００３５】
また、上記実施の形態では、押圧部材５として傾倒部材５３を傾倒させてネジ止めする構造を挙げて説明したが、これに限らず、耳朶を前後から挟み込んで押圧できるような構造であれば、どのような構造を用いてもよい。
【符号の説明】
【００３６】
１・・・動物型イヤリング
２・・・前部胴体要素
２１・・・前脚
３・・・後部胴体要素
３１・・・後脚
３２・・・尻尾
３３・・・凹部
４・・・連結部
５・・・押圧部材
５１・・・起立板
５２・・・凸部
５３・・・傾倒部材
５４・・・孔部
５５・・・板バネ
５６・・・ネジ部材
５７・・・押圧部
【図１】
2016019600.tif 000003
【図２】
2016019600.tif 000004
【図３】
2016019600.tif 000005
【図４】
2016019600.tif 000006
【図５】
2016019600.tif 000007
【図６】
2016019600.tif 000008